(57)【要約】【課題】印刷用紙の搬送路の下流側に設けられた印刷部に印刷用紙を確実に搬送すると共に、天地乱丁の発生を防ぐ。【解決手段】第二版胴６のみを利用した単色印刷処理モードである場合には、制御系が、印刷用紙Ｐが第二版胴６まで搬送されるように制御する。また、制御系は、天地乱丁の発生を防ぐために、ガイドローラ３、タイミングローラ４、第二版胴６によって印刷用紙Ｐが一時的にニップされたオーバラップ期間を作った後、ガイド解放ソレノイド２４をオンにすることによってガイドローラ３ならびにタイミングローラ４における印刷用紙Ｐのニップを解放制御する。そして、制御系は、印刷用紙Ｐの後端がガイドローラ３ならびにタイミングローラ４を通過するまで印刷用紙Ｐのニップを解放制御し、印刷用紙Ｐの通過完了後、ガイド解放ソレノイドをオフ状態に戻す。【選択図】      図１
2004330510.tif 000002
【特許請求の範囲】
【請求項１】
印刷用紙をニップして搬送する給紙部と、
前記給紙部から搬送された印刷用紙にインクを転写して印刷画像を形成する複数の印刷部と、
前記給紙部による印刷用紙のニップを解除する解除部と、
印刷処理に使用する印刷部を選択する選択部と、
前記選択部により選択される印刷部に応じて、前記印刷用紙の搬送量、及び印刷用紙のニップを解除するタイミングを制御する制御部と
を具備することを特徴とする孔版印刷装置。
【請求項２】
請求項１に記載の孔版印刷装置であって、
前記複数の印刷部は、前記印刷用紙の搬送路のそれぞれ上流側及び下流側に設けられた第１及び第２の印刷部を備え、
前記制御部は、前記選択部によって第２の印刷部が選択された場合、印刷用紙を第２の印刷部まで搬送し、印刷用紙が第２の印刷部に搬送されるのに応じて印刷用紙のニップを解除すること
を特徴とする孔版印刷装置。
【発明の詳細な説明】
【０００１】
【発明の属する技術分野】
本発明は、複数の版胴を有する孔版印刷装置に関し、特に、印刷モードに応じて印刷用紙の搬送量、及び印刷用紙のニップを解除するタイミングを制御することにより、印刷用紙の搬送路の下流側に設けられた版胴のみを利用した単色印刷処理の場合であっても、版胴に印刷用紙を確実に搬送すると共に、天地乱丁の発生を防ぐことを可能にする技術に係わる。
【０００２】
【従来の技術】
従来より、例えば特許文献１，２に開示されているような、２つの版胴を有し、印刷データに基づいて製版処理された孔版原紙を各版胴に巻装し、各版胴に印刷用紙を圧接させることにより印刷処理を行う孔版印刷装置が知られている。そして、このような孔版印刷装置によれば、ユーザは、使用する版胴やインク色を変化させることにより、単色印刷処理や二色印刷処理を行うことができる。
【０００３】
【特許文献１】
特開２００１−３１５４２２号公報
【０００４】
【特許文献２】
特開２０００−３２６６１４号公報
【０００５】
【発明が解決しようとする課題】
しかしながら、従来までの孔版印刷装置では、２次給紙ロールによる印刷用紙の搬送量が印刷用紙の搬送路の上流側に設けられた版胴（以下、第一版胴と表記する）に合わせて構成されているために、印刷用紙の搬送路の下流側に設けられた版胴（以下、第二版胴と表記する）のみを利用した単色印刷処理を行う場合には、印刷用紙が第二版胴の圧接位置まで届かないことがある。
【０００６】
また、従来までの孔版印刷装置では、孔版原紙の伸びやずり上がり、紙じわ、斜行、位置ずれ、ゴースト等の不具合の原因となるバックテンションを軽減するために、第一版胴に印刷用紙が到達した後に２次給紙ロールを構成するガイドロールを解放するので、第二版胴のみを利用した単色印刷処理を行う場合には、印刷用紙をニップしている箇所が一時的に無くなり、天地乱丁が大きくなることがある。
【０００７】
なお、上記のような不具合を解決するために、第一版胴と第一版胴に印刷用紙を圧接する圧胴とで印刷用紙をニップする方法が考えられている。しかしながら、この方法を利用した場合には、上記特許文献１に開示されているように、印刷用紙が第一版胴と圧胴との間を通る際に印刷用紙にインクが付着しないように、製版処理されていない孔版原紙を第一版胴に巻装する必要があり、印刷費用が増加する。また、第一版胴内にあるインクが入れ替わらないために、第一版胴内のインクの品質が低下し、第一版胴を利用した印刷処理時に正常な印刷画像が形成されないことがある。
【０００８】
また、上記のような不具合を解決するために、上記特許文献２に開示されているような、送風源から発生させた気流を利用して印刷用紙を搬送する方法も考えられている。しかしながら、この方法を利用した場合には、装置の構成が複雑になる上に、印刷用紙の押さえ付け具合が安定せずに天地乱丁等の位置ずれが生じることがある。
【０００９】
本発明は、上記課題を解決するためになされたものであり、その目的は、下流側に設けられた印刷部に印刷用紙を確実に搬送すると共に、天地乱丁の発生を防ぐことが可能な、孔版印刷装置を提供することにある。
【００１０】
【課題を解決するための手段】
本発明に係る孔版印刷装置の特徴は、印刷用紙をニップして搬送する給紙部と、給紙部から搬送された印刷用紙にインクを転写して印刷画像を形成する複数の印刷部と、給紙部による印刷用紙のニップを解除する解除部と、印刷処理に使用する印刷部を選択する選択部と、選択部により選択される印刷部に応じて、印刷用紙の搬送量、及び印刷用紙のニップを解除するタイミングを制御する制御部とを具備することにある。
【００１１】
すなわち、本発明に係る孔版印刷装置は、選択部により選択される印刷部に応じて、印刷用紙の搬送量、及び印刷用紙のニップを解除するタイミングを制御するので、印刷用紙の搬送路の下流側に設けられた印刷部のみを利用した印刷処理の場合であっても、下流側に設けられた印刷部に印刷用紙を確実に搬送すると共に、天地乱丁の発生を防ぐことができる。
【００１２】
【発明の実施の形態】
以下、図面を用いて本発明の一実施形態を説明する。
【００１３】
図１は本発明の一実施形態に係る孔版印刷装置の構成を示す図である。図１において、この実施形態の孔版印刷装置は、アウタープレス方式の二色刷りの孔版印刷装置であり、スクレーパ１、ピックアップローラ２、ガイドローラ３、タイミングローラ４、第一版胴５、第二版胴６、クランプ装置７、８、第一プレスローラ９、第二プレスローラ１０、中間搬送ユニット１１、排紙ユニット１２、排紙台１３ならびに給紙台１４を備えて構成されている。
【００１４】
第一版胴５及び第二版胴６には、製版手段（図示せず）により、孔版印刷しようとする原稿を再現すべく穿孔された孔版原紙Ｍが着版手段（図示せず）により巻き付けられ、クランプ装置７，８により孔版原紙Ｍの先端部が支持されている。
【００１５】
印刷用紙Ｐは、給紙台１４に積載され、給紙台１４はＤＣモータ等により上下移動が可能に設置されている。ユーザの操作により孔版印刷動作が開始されるときには、給紙台１４は図示していないセンサの情報に基づいて適切な位置まで上昇した後停止する。また、孔版印刷動作中では、印刷用紙Ｐが少なくなると、給紙台１４は常に適切な位置になるように上昇ならびに停止を繰り返す。
【００１６】
印刷用紙Ｐは、スクレーパ１ならびにピックアップローラ２等で構成される一次給紙部によって１枚だけ、ガイドローラ３ならびにタイミングローラ４等で構成される二次給紙部へと搬送される。この時、ガイドローラ３ならびにタイミングローラ４はバネなどによる圧力を受けて相互に接し、かつ停止している。
【００１７】
一次給紙部は、印刷用紙Ｐの斜行先端位置のばらつきを抑えるために、印刷用紙Ｐの先端が停止しているガイドローラ３ならびにタイミングローラ４の間に突き当たった後、印刷用紙Ｐがある程度のたるみを持つ程度に印刷用紙Ｐを搬送した後停止するように搬送制御される。
【００１８】
二次給紙部は、印刷用紙Ｐの先端が第一版胴５ひいては第一版胴５に支持されている孔版原紙Ｍに対して、位置的なばらつきがないように印刷用紙Ｐを搬送制御する。
【００１９】
第一プレスローラ９は、二次給紙部から印刷用紙Ｐが第一版胴５に搬送される直前に、第一版胴５に押し当てられる。二次給紙部から搬送された印刷用紙Ｐは、一時的に片方側が二次給紙部のガイドローラ３ならびにタイミングローラ４でニップされた状態となり、他方側が第一版胴５ならびに第一プレスローラ９でニップされた状態となり、二次給紙部で押さえた印刷用紙Ｐの先端位置の精度を保持した状態で、印刷用紙Ｐの搬送を二次給紙部から第一版胴５ならびに第一プレスローラ９へと移行する。
【００２０】
この後、二次給紙部と第一版胴５の線速度のずれが引き起こす、孔版原紙Ｍの伸びやずり上がり、紙じわ、ゴースト、天地乱丁などを防止するため、ガイドローラ３は上方へ移動して二次給紙部でのニップを解放し、第一版胴５から見たバックテンションがかからないように制御される。
【００２１】
二次給紙部の駆動において、タイミングローラ４は後述するステッピングモータから駆動力を受けて、毎回同じタイミングで印刷用紙Ｐを一定量搬送するように制御される。ガイドローラ３は通常バネによって二次給紙部のニップ力を得ており、後述するガイド解放ソレノイド２４から駆動をとったカムにて毎回同じタイミングで上下移動による解放が行えるようになっている。
【００２２】
第一版胴５の内部には、印刷用紙Ｐに画像を形成するインク（図示せず）が内蔵されており、第一版胴５に孔版原紙Ｍならびに印刷用紙Ｐを介して第一プレスローラ９で押圧することにより第一版胴５の内部から孔版原紙Ｍの穿孔部を通してインクが印刷用紙Ｐに転移し、印刷用紙Ｐに画像が形成される。
【００２３】
画像は第一版胴５の回転と共に形成される。画像が印刷された印刷用紙Ｐは、第一版胴５から剥離を良好にするための、分離ファン（図示せず）ならびにエアーを吸引しつつベルトで搬送を行う中間搬送ユニット１１により第一版胴５から印刷用紙Ｐを剥離しながら第二版胴６へと搬送される。
【００２４】
第二版胴６側でも、第一版胴５側と同様にして印刷用紙Ｐに画像が印刷され、画像が印刷された印刷用紙Ｐは、分離ファン（図示せず）、ならびにエアーを吸引しつつベルトで搬送を行う排紙ユニット１２により排紙台１３に排紙されて収納される。
【００２５】
なお、上述した動作は、ＤＣモータやステッピングモータ又はソレノイドなどのアクチュエータと、印刷用紙Ｐや機構部品又はアクチュエータ等の位置を検出する各種センサ、ユーザからの指示を入力又はユーザに対してのメッセージを表示する操作パネル、ならびにこれらを制御するＣＰＵ、ＲＡＭ、ＲＯＭ等を含むマイクロコンピュータシステムと、アクチュエータを駆動するドライバにより行われている。
【００２６】
〔二次給紙部の構成〕
上記二次給紙部は、図２に示すように、ガイドローラ３とタイミングローラ４により構成され、印刷用紙Ｐはガイドローラ３とタイミングローラ４の間に搬送される。ガイドローラ３は、リンク２２を介したバネ２３の力によってタイミングローラ４の方向に移動することにより、印刷用紙Ｐをニップする。また、ガイドローラ３は、ガイド解放ソレノイド２４の駆動に応じて上方に移動することにより、印刷用紙Ｐのニップを解放する。タイミングローラ４は、タイミングローラ４の軸上の減速ギア２５と、ステッピングモータにより構成される二次給紙モータ２０の軸上の減速ギア２１とを介して二次給紙モータ２０と連結され、二次給紙モータ２０により回転駆動される。
【００２７】
ここで、ガイド解放ソレノイド２４及び二次給紙モータ２０の駆動タイミングは、図示しない角度基準センサと、第一版胴５や第二版胴６を回転させるメインモータのエンコーダのパルス数とに基づいて、ＣＰＵ７１（図３参照）により制御される。より具体的には、第一版胴５のクランプ装置７が真上にある時の第一版胴５の角度を０度とし、この時、適当な位置に設けられた遮蔽板によって角度基準センサが遮光され、メインモータのエンコーダ一周分のパルス数が３０００パルスであるとすると、第一版胴５の角度が１５０度の時に二次給紙モータ２０を駆動する場合には、角度基準センサから１２５０（＝１５０／３６０×３０００）パルス分だけパルス数を計数した際に二次給紙モータ２０の駆動を開始する。なお、ＣＰＵ７１はガイド解放ソレノイド２４の駆動タイミングも同様の方法で制御するが、印刷用紙Ｐのニップのオン／オフのタイミングがずれると、孔版原紙Ｍの伸びやずり上がり、紙じわ、ゴースト、天地乱丁等の不具合が生じることがある。従って、ＣＰＵ７１は、ガイド解放ソレノイド２４の反応時間の遅れ分を考慮して、ガイド解放ソレノイド２４の駆動タイミングを制御する。
【００２８】
〔制御系の構成〕
次に、図３を参照して、上記孔版印刷装置の制御系の構成について説明する。
【００２９】
上記孔版印刷装置の制御系７０は、マイクロコンピュータシステムにより構成され、図３に示すように、バス配線を介して互いに接続された、ＣＰＵ（Ｃｅｎｔｒａｌ  Ｐｒｏｃｅｓｓｉｎｇ  Ｕｎｉｔ）７１、ＲＯＭ（Ｒｅａｄ  Ｏｎｌｙ  Ｍｅｍｏｒｙ）７２、ＲＡＭ（Ｒａｎｄｏｍ  Ａｃｃｅｓｓ  Ｍｅｍｏｒｙ）７３、及びカウンタ７４を主な構成要素として備える。
【００３０】
上記ＣＰＵ７１は、ＲＯＭ７２内に記憶された制御プログラムに従って、孔版印刷装置全体を統括制御して孔版印刷処理を制御する。具体的には、ＣＰＵ７１は、操作パネル７５を介してユーザが指定した印刷モードに従って、二次給紙モータ２０及びガイド解放ソレノイド２４をそれぞれ駆動するドライバ７６及びドライバ７７の動作タイミングを制御する。
【００３１】
上記ＲＯＭ７２は、孔版印刷装置の制御プログラムや各種データを記憶する。上記ＲＡＭ７３は、二次給紙モータ２０の送り量等、ＣＰＵ７１が実行する処理に係わるデータを一時的に記憶する。上記カウンタ７４は、角度基準センサから出力されるメインモータエンコーダのパルス数を計数する。なお、ここでは図示しないが、制御系７０は、割込コントローラ、バスコントローラ、ＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）等の機能も有する。
【００３２】
［孔版印刷装置の動作］
次に、図４に示すフローチャートを参照して、印刷モードに応じて印刷用紙Ｐの搬送量、及び印刷用紙Ｐのニップを解除するタイミングを制御する際の孔版印刷装置の動作について詳しく説明する。
【００３３】
図４に示すフローチャートは、ユーザが、操作パネル７５を介して印刷モードを指定し、指定した印刷モードの実行を指示することでスタートとなり、この制御処理はステップＳ１の処理に進む。
【００３４】
ステップＳ１の処理では、ＣＰＵ７１が、操作パネル７５から入力された情報を参照して、ユーザが指定した印刷モードが第二版胴６のみを利用した単色印刷処理モードであるか否かを判別する。そして、判別の結果、指定された印刷モードが第二版胴６のみを利用した単色印刷処理モードである場合、ＣＰＵ７１は、この制御処理をステップＳ１の処理からステップＳ４の処理に進める。一方、指定された印刷モードが、第一版胴５のみを利用した単色印刷処理モード、若しくは、第一版胴５と第二版胴６の両方を利用した二色印刷処理モードである場合には、ＣＰＵ７１は、この制御処理をステップＳ１の処理からステップＳ２の処理に進める。
【００３５】
ステップＳ２の処理では、ＣＰＵ７１が、印刷用紙Ｐが第一版胴５まで搬送されるように、二次給紙モータ２０の送り量を設定する。これにより、このステップＳ２の処理は完了し、この制御処理はステップＳ２の処理からステップＳ３の処理に進む。
【００３６】
ステップＳ３の処理では、ＣＰＵ７１が、印刷用紙Ｐがガイドローラ３とタイミングローラ４、および第一版胴５と第一プレスローラ９によってニップされた状態になるのに応じて、ガイドローラ３ならびにタイミングローラ４における印刷用紙Ｐのニップを解放するように、ガイド解放ソレノイド２４の解放タイミングを設定する。これにより、このステップＳ３の処理は終了し、以後、通常の印刷処理動作が実行される。
【００３７】
ステップＳ４の処理では、ＣＰＵ７１が、印刷用紙Ｐが第二版胴６まで搬送されるように、二次給紙モータ２０の送り量を設定する。これにより、このステップＳ４の処理は完了し、この制御処理はステップＳ４の処理からステップＳ５の処理に進む。
【００３８】
ステップＳ５の処理では、ＣＰＵ７１が、印刷用紙Ｐがガイドローラ３とタイミングローラ４、および第二版胴６と第二プレスローラ１０によってニップされた状態になるのに応じて、ガイドローラ３ならびにタイミングローラ４における印刷用紙Ｐのニップを解放するように、ガイド解放ソレノイド２４の解放タイミングを設定する。これにより、このステップＳ５の処理は終了し、以後、通常の印刷処理動作が実行される。
【００３９】
以上の制御処理をより具体的に説明すると、ユーザによって指定された印刷モードが、第一版胴５のみを利用した単色印刷処理モード、若しくは、第一版胴５と第二版胴６の両方を利用した二色印刷処理モードである場合、ＣＰＵ７１は、図５の実線波形に示すように、ガイドローラ３ならびにタイミングローラ４で印刷用紙Ｐがニップされた状態で二次給紙モータ２０を起動し、二次給紙モータ２０の速度が最大速度に到達した後に印刷用紙Ｐの先端が第一版胴５に搬送されるように制御する。
【００４０】
そして、ＣＰＵ７１は、天地乱丁の発生を防ぐために、印刷用紙Ｐが第一版胴５と第一プレスローラ９、およびガイドローラ３とタイミングローラ４によって一時的にニップされるオーバラップ期間を作った後、ゴースト等の不具合が発生しないようにガイド解放ソレノイド２４によりガイドローラ３を解放する。ガイドローラ３は印刷用紙Ｐが二次給紙部を通過した後に再びニップ位置に戻り、斜行補正や天地位置出しのために次の印刷用紙Ｐがピックアップローラ２から送られてくることに備える。ガイド解放ソレノイド２４は、プランジャの吸引又は釈放に時間がかかるため、実際には目的のタイミングでガイドローラ３が動作するように遅れ時間を見込んだ分だけ早くオンまたはオフするように補正されて動作する。
【００４１】
一方、ユーザによって指定された印刷モードが、第二版胴６のみを利用した単色印刷処理モードである場合には、ＣＰＵ７１は、図５の破線波形に示すように、二次給紙モータ２０の駆動時間を上述の場合よりも長くして印刷用紙Ｐが第二版胴６まで搬送されるように制御する。また、上述の場合と同様、ＣＰＵ７１は、天地乱丁の発生を防ぐために、印刷用紙Ｐが第二版胴６と第二プレスローラ１０、およびガイドローラ３とタイミングローラ４によって一時的にニップされるオーバラップ期間を作った後、ゴースト等の不具合が発生しないようにガイド解放ソレノイド２４によりガイドローラ３を解放する。ガイドローラ３は印刷用紙Ｐが二次給紙部を通過した後に再びニップ位置に戻り、斜行補正や天地位置出しのために次の印刷用紙Ｐがピックアップローラ２から送られてくることに備える。ガイド解放ソレノイド２４は、プランジャの吸引又は釈放に時間がかかるため、実際には目的のタイミングでガイドローラ３が動作するように遅れ時間を見込んだ分だけ早くオンまたはオフするように補正されて動作する。
【００４２】
［実施の形態の効果］
以上の説明から明らかなように、本発明の一実施形態となる孔版印刷装置によれば、操作パネル７５を介して指定された印刷モードに応じて、ＣＰＵ７１が、印刷用紙Ｐの搬送量、及び印刷用紙Ｐのニップを解除するタイミングを制御するので、第二版胴６のみを利用した単色印刷処理の場合であっても、第二版胴６に印刷用紙Ｐを確実に搬送すると共に、天地乱丁の発生を防ぐことができる。
【００４３】
より具体的には、本発明の一実施形態となる孔版印刷装置によれば、操作パネル７５を介して第二版胴６のみを利用した単色印刷処理が指定された場合、印刷用紙Ｐを第二版胴６まで搬送し、印刷用紙Ｐが第二版胴６に搬送されるのに応じて印刷用紙Ｐのニップを解除するので、第二版胴６に印刷用紙Ｐを確実に搬送すると共に、天地乱丁の発生を防ぐことができる。
【００４４】
［その他の実施の形態］
このように、上述の実施の形態は本発明の一例であり、本発明は上述の実施の形態に限定されることに留意されたい。すなわち、この実施の形態以外であっても、本発明に係る技術的思想を逸脱しない範囲であれば、設計等に応じて種々の変更が可能であることは勿論である。
【００４５】
【発明の効果】
本発明によれば、印刷用紙の搬送路の下流側に設けられた印刷部に印刷用紙を確実に搬送すると共に、天地乱丁の発生を防ぐことができる。
【図面の簡単な説明】
【図１】本発明の一実施形態となる孔版印刷装置の構成を示す模式図である。
【図２】本発明の一実施形態となる２次給紙ローラの構成を示す模式図である。
【図３】図１に示す孔版印刷装置の制御系を説明するためのブロック図である。
【図４】印刷モードに応じて印刷用紙の搬送量、及び印刷用紙のニップを解除するタイミングを制御する処理の流れを示すフローチャート図である。
【図５】２次給紙モータ及びガイド解放ソレノイドの駆動タイミングを示すタイミングチャート図である。
【符号の説明】
３…ガイドローラ、４…タイミングローラ、５…第一版胴、６…第二版胴、Ｐ…印刷用紙、２０…二次給紙モータ、２２…リンク、２３…バネ、２４…ガイド解放ソレノイド、２５，２１…減速ギア、７１…ＣＰＵ、７２…ＲＯＭ、７３…ＲＡＭ、７４…カウンタ、７５…操作パネル、７６，７７…ドライバ
【図１】
2004330510.tif 000003
【図２】
2004330510.tif 000004
【図３】
2004330510.tif 000005
【図４】
2004330510.tif 000006
【図５】
2004330510.tif 000007